(57)【要約】【課題】複数の機器を装着させた状態で動作し、かつ利便性の高い電子機器、及びその制御方法を提供すること。【解決手段】本体１００と、本体１００に脱着可能なリモコン２００と、からなる電源制御装置１０００であって、本体１００はリモコン２００に電力を供給し、本体１００とリモコン２００とは、リモコン２００により本体１００を制御するための通信を行い、本体１００に設けられ、本体１００の動作に関する情報を表示するＬＥＤ８と、リモコン２００が本体１００に装着されたこと、本体１００がリモコン２００に電力を供給したこと、及び本体１００とリモコン２００とが通信を行ったこと、の少なくとも１つに応じて、ＬＥＤ８が表示していた情報を表示する、リモコン２００に設けられたＬＥＤ１８と、を具備する電源制御装置１０００。【選択図】図５
2011155413.tif 000002
【特許請求の範囲】
【請求項１】
第１機器と、
前記第１機器に脱着可能な第２機器と、からなる電子機器であって、
前記第１機器は前記第２機器に電力を供給し、
前記第１機器と前記第２機器とは、前記第２機器により前記第１機器を制御するための通信、又は前記第１機器により前記第２機器を制御するための通信を行い、
前記第１機器に設けられ、前記第１機器の動作に関する情報を表示する第１表示部と、
前記第２機器が前記第１機器に装着されたこと、前記第１機器が前記第２機器に電力を供給したこと、及び前記第１機器と前記第２機器とが前記通信を行ったこと、の少なくとも１つに応じて、
前記第１表示部が表示していた情報を表示する、前記第２機器に設けられた第２表示部と、を具備する電子機器。
【請求項２】
前記第２機器は前記第１機器の制御装置であり、
前記第１機器と前記第２機器とは、前記第２機器により前記第１機器を制御するための通信を行う請求項１記載の電子機器。
【請求項３】
前記第１機器は、前記第２機器とは別の機器と、前記別の機器により前記第１機器を制御するための通信を行い、
前記第１機器と前記第２機器とが通信を行うことに応じて、前記第１機器と前記別の機器とは前記通信を行わない請求項２記載の電子機器。
【請求項４】
前記第１機器に前記第２機器が装着された場合、前記第１表示部は前記第２機器に覆われる請求項１から３いずれか一項記載の電子機器。
【請求項５】
前記第２表示部が、前記第１表示部が表示していた情報を表示したことに応じて、前記第１表示部は前記情報を表示しない請求項１から４いずれ一項記載の電子機器。
【請求項６】
第１機器と、前記第１機器に脱着可能な第２機器とからなる電子機器の制御方法であって、
前記第２機器が前記第１機器に装着されたこと、前記第１機器が前記第２機器に電力を供給したこと、及び前記第１機器と前記第２機器とが前記通信を行ったこと、の少なくとも１つが行われたことに応じて、
第２機器が、前記第１機器が表示していた情報を表示する電子機器の制御方法。
【発明の詳細な説明】
【技術分野】
【０００１】
本発明は電子機器及びその制御方法に関する。
【背景技術】
【０００２】
電子機器の中には、複数の機器を接続して通信を行い、かつ一方の機器が他方の機器に対して電力を供給するものがある。特許文献１には、外部機器と接続し、電力線を通じて外部機器との通信、及び外部機器への電力供給を行う通信ユニットが開示されている。特許文献２には、電子機器の機器本体が、機器本体を遠隔操作するリモコンに電力を供給する技術が開示されている。
【先行技術文献】
【特許文献】
【０００３】
【特許文献１】特開２００６−１８０３８４号公報
【特許文献２】特開２００２−２７６６６号公報
【発明の概要】
【発明が解決しようとする課題】
【０００４】
しかしながら、複数の機器間の通信や電力供給のためにケーブルが用いられる場合、ケーブルが電子機器の収納や人の往来の邪魔になることがある。また、機器同士を装着させて動作させる場合には、機器が備える表示部が隠れてしまうことがある。この場合、ユーザの利便性が低下する。
【０００５】
本発明は上記課題に鑑み、複数の機器を装着させた状態で動作し、かつ利便性の高い電子機器、及びその制御方法を提供することを目的とする。
【課題を解決するための手段】
【０００６】
本発明は、第１機器と、前記第１機器に脱着可能な第２機器と、からなる電子機器であって、前記第１機器は前記第２機器に電力を供給し、前記第１機器と前記第２機器とは、前記第２機器により前記第１機器を制御するための通信、又は前記第１機器により前記第２機器を制御するための通信を行い、前記第１機器に設けられ、前記第１機器の動作に関する情報を表示する第１表示部と、前記第２機器が前記第１機器に装着されたこと、前記第１機器が前記第２機器に電力を供給したこと、及び前記第１機器と前記第２機器とが前記通信を行ったこと、の少なくとも１つに応じて、前記第１表示部が表示していた情報を表示する、前記第２機器に設けられた第２表示部と、を具備する電子機器である。本発明によれば、第１機器と第２機器とが装着された状態で電子機器は動作する。また、第２表示部が第１機器の動作に関する情報を表示するため、ユーザは容易に第１機器の動作状態を確認できる。従って、複数の機器を装着させた状態で動作が可能で、かつ利便性が高い電子機器が実現できる。
【０００７】
上記構成において、前記第２機器は前記第１機器の制御装置であり、前記第１機器と前記第２機器とは、前記第２機器により前記第１機器を制御するための通信を行う構成とすることができる。この構成によれば、第１機器と第２機器とを装着させ、第２機器により第１機器を制御する場合、利便性が高まる。
【０００８】
上記構成において、前記第１機器は、前記第２機器とは別の機器と、前記別の機器により前記第１機器を制御するための通信を行い、前記第１機器と前記第２機器とが通信を行うことに応じて、前記第１機器と前記別の機器とは前記通信を行わない構成とすることができる。この構成によれば、遠隔操作されていた第１機器を、第１機器が設置された現場において制御する場合に利便性が高まる。
【０００９】
上記構成において、前記第１機器に前記第２機器が装着された場合、前記第１表示部は前記第２機器に覆われる構成とすることができる。この構成によれば、第１表示部が見えない場合でも第２表示部による代替動作がされるため、利便性が高まる。
【００１０】
上記構成において、前記第２表示部が、前記第１表示部が表示していた情報を表示したことに応じて、前記第１表示部は前記情報を表示しない構成とすることができる。この構成によれば、第１表示部が情報を表示しないため、省電力化が可能で、かつ経費を節約できる。
【００１１】
本発明は、第１機器と、前記第１機器に脱着可能な第２機器とからなる電子機器の制御方法であって、前記第２機器が前記第１機器に装着されたこと、前記第１機器が前記第２機器に電力を供給したこと、及び前記第１機器と前記第２機器とが前記通信を行ったこと、の少なくとも１つが行われたことに応じて、第２機器が、前記第１機器が表示していた情報を表示する電子機器の制御方法である。本発明によれば、第１機器と第２機器とが装着された状態で電子機器は動作する。また、第２表示部が第１機器の動作に関する情報を表示するため、ユーザは容易に第１機器の動作状態を確認できる。従って、複数の機器を装着させた状態で動作が可能で、かつ利便性が高い電子機器の制御方法が実現できる。
【発明の効果】
【００１２】
本発明によれば、複数の機器を装着させた状態で動作し、かつ利便性の高い電子機器、及びその制御方法を提供することができる。
【図面の簡単な説明】
【００１３】
【図１】図１（ａ）及び図１（ｂ）は実施例１に係る電子機器を用いたシステムを例示するブロック図である。
【図２】図２（ａ）及び図２（ｂ）は実施例１に係る電源制御装置を例示する斜視図である。
【図３】図３は実施例１に係る電源制御装置の本体及びリモコンの構成を例示するブロック図である。
【図４】図４（ａ）は実施例１に係る電源制御装置の本体を、図４（ｂ）はリモコンの構成を、それぞれ例示する機能ブロック図である。
【図５】図５は実施例１に係る電源制御装置の制御を例示するシーケンス図である。
【図６】図６（ａ）は実施例１に係る電源制御装置の本体の制御を例示するフローチャートであり、図６（ｂ）は実施例１に係る電源制御装置のリモコンの制御を例示するフローチャートである。
【発明を実施するための形態】
【００１４】
図面を用いて、本発明の実施例について説明する。
【実施例１】
【００１５】
最初に、実施例１に係る電子機器が用いられるシステムについて説明する。実施例１において電子機器は電源制御装置１０００である。図１（ａ）及び図１（ｂ）は、実施例１に係る電源制御装置を用いた電源制御システムを例示するブロック図である。
【００１６】
図１（ａ）及び図１（ｂ）に示すように、電源制御システムは、電源制御装置１０００、デバイス１１０、及び端末装置１２０（別の機器）からなる。電源制御装置の本体１００（第１機器）と端末装置１２０とは、ネットワーク１３０により接続されており、通信可能である。
【００１７】
本体１００は、電力制御装置の本体であり、例えば交流電源により駆動する。デバイス１１０は例えばＰＣ（Ｐｅｒｓｏｎａｌ  Ｃｏｍｐｕｔｅｒ：パーソナルコンピュータ）やプリンタ等である。端末装置１２０は例えばＰＣ等である。ネットワーク１３０は例えばインターネット等である。なお、デバイスの数は例示であり、１つでも良いし、３つ以上でも良い。
【００１８】
本体１００はデバイス１１０と接続しており、デバイス１１０に例えば交流電力を供給する。端末装置１２０は、ネットワーク１３０を介して本体１００を制御する。つまり、端末装置１２０は本体１００による電力供給のオン／オフや、電力供給のスケジューリング、供給した電力や電力量の履歴の管理等を行う。言い換えれば、本体１００は端末装置１２０により遠隔操作される。
【００１９】
図１（ｂ）に示すように、本体１００にリモコン２００（第２機器）を接続して、リモコン２００により本体１００を制御する場合がある。つまり、リモコン２００は本体１００の制御装置である。言い換えれば、本体１００と端末装置１２０との通信は遮断され、本体１００の制御は、リモコン２００による制御に一本化される構成とすることができる。本体１００の制御をリモコン２００による制御に一本するか否かの切り替えは、本体１００又はリモコン２００の設定により行われる。例えば、本体１００のメンテナンス等を行う際には、遠隔操作ではなく、リモコン２００により本体１００が接地された現場で制御する方が便利である。
【００２０】
次に電源制御装置の構成について説明する。図２（ａ）及び図２（ｂ）は電源制御装置の構成を例示する斜視図である。
【００２１】
図２（ａ）に示すように、電源制御装置１０００の本体１００は、Ｉ／Ｆ２及び４、給電口６、ＬＥＤ（Ｌｉｇｈｔ  Ｅｍｉｔｔｅｄ  Ｄｉｏｄｅ：発光ダイオード）８（第１表示部）、及びスイッチ１０を備える。本体１００は、ケーブル１から供給される交流電源により駆動する。
【００２２】
Ｉ／Ｆ４は例えばＬＡＮ（Ｌｏｃａｌ  Ａｒｅａ  Ｎｅｔｗｏｒｋ）ケーブルの差込口であり、図１（ａ）及び図１（ｂ）に示した端末装置１２０との通信に用いられる。Ｉ／Ｆ２はリモコン２００との通信に用いられる。給電口６は、リモコン２００への電力供給に用いられる。ＬＥＤ８は本体１００の動作に関する情報を表示する。つまり、例えば本体１００が複数の給電口２１（図３で後述）を有し、各給電口２１がデバイス１１０と接続されている場合、いずれの給電口２１が電力を供給しているか、ＬＥＤ８の点灯によって表示することができる。スイッチ１０は、例えば突起状のスイッチである。Ｉ／Ｆ２及び４、給電口６、ＬＥＤ８及びスイッチ１０は、本体１００の面３に設けられている。次に、本体１００とリモコン２００とが接続される場合について説明する。
【００２３】
図２（ｂ）に示すように、リモコン２００にはケーブル１２及び１４が接続されている。また、リモコン２００には操作部１６及びＬＥＤ１８（第２表示部）が設けられている。
【００２４】
本体１００のＩ／Ｆ２に挿入されるケーブル１２を介して、本体１００とリモコン２００とは接続される。本体１００とリモコン２００とは、本体１００を制御するための通信を行う。また、給電口６に挿入されるケーブル１４を介して、本体１００はリモコン２００に例えば直流電力を供給する。操作部１６は例えばボタンやダイヤル等であり、ユーザは操作部１６を操作することにより、本体１００を制御する。ＬＥＤ１８については後述する。
【００２５】
リモコン２００の操作部１６やＬＥＤ１８が設けられている面とは反対の面には、例えばマグネットが設けられている。リモコン２００はマグネットにより本体１００の面３に装着される。つまり本体１００とリモコン２００とが装着され、あたかも１つの機器であるかのように一体動作を行う。リモコン２００が面３に装着されると、ＬＥＤ８はリモコン２００により覆われ、ユーザはＬＥＤ８を視認することが困難となる。なお、マグネットの他に、例えば本体１００及びリモコン２００に、互いに嵌合可能な凹部及び凸部が設けられていても良いし、ネジ等でリモコン２００を装着しても良い。
【００２６】
リモコン２００が備えるＬＥＤ１８は、ＬＥＤ８が表示していた情報を表示する。つまり、ＬＥＤ１８はＬＥＤ８の代替動作をする。詳細には、リモコン２００が本体１００に装着される場合、例えばリモコン２００によりスイッチ１０が押される。スイッチ１０が押されたことに応じて、ＬＥＤ１８はＬＥＤ８の代替動作を開始する。代替動作開始のための別の構成例については、００５５において後述する。
【００２７】
次に本体１００及びリモコン２００それぞれの構成について説明する。図３は本体１００及びリモコン２００それぞれの構成を例示するブロック図である。
【００２８】
図３に示すように、本体１００は電源投入口２０、変換部２２、制御部２４、Ｉ／Ｆ２及び４、給電口６及び２１、ＬＥＤ８、並びにスイッチ１０を備える。変換部２２は例えばＡＣアダプタである。制御部２４は例えばＣＰＵ（Ｃｅｎｔｒａｌ  Ｐｒｏｃｅｓｓｉｎｇ  Ｕｎｉｔ：中央演算装置）である。Ｉ／Ｆ２及び４、給電口６、ＬＥＤ８並びにスイッチ１０については、図２（ａ）及び図２（ｂ）において既述したので、説明を省略する。
【００２９】
電源投入口２０には、図２（ａ）に示したケーブル１が接続され、交流電力が投入される。変換部２２は交流電力と直流電力との変換を行う。本体１００は、変換部２２により変換された電力を、給電口６を通じてリモコン２００に供給する。また本体１００は、給電口２１を通じて、図１（ａ）及び図１（ｂ）に示したデバイス１１０に電力を供給する。
【００３０】
制御部２６は、Ｉ／Ｆ２を用いたリモコン２００との通信、Ｉ／Ｆ４を用いた端末装置１２０との通信、給電口６を通じた電力供給、給電口２１を通じた電力供給、ＬＥＤ８を制御する。また制御部２６は、スイッチ１０が押下されたことに応じて出力される信号を受信する。制御部２６は、スイッチ１０からの信号を受信したことに応じて、Ｉ／Ｆ４を介した端末装置との通信を遮断し、Ｉ／Ｆ２を介したリモコン２００との通信が行われるような制御をする。また、制御部２６は、ＬＥＤ８を消灯させる。
【００３１】
リモコン２００は、操作部１６、ＬＥＤ１８、制御部３０、Ｉ／Ｆ３２及び給電口３４を備える。操作部１６、ＬＥＤ１８、Ｉ／Ｆ３２及び給電口３４については、図２（ｂ）において記述したので、説明を省略する。
【００３２】
制御部３０は、ＬＥＤ１８、Ｉ／Ｆ３２及び給電口３４を制御する。操作部１６が操作されたことに応じて、制御部３０は、リモコン２００がＩ／Ｆ３２を介して、本体１００を制御するための通信を行うように制御をする。また制御部３０はＬＥＤ１８を点灯させる。
【００３３】
次に機能ブロック図を参照して、本体１００及びリモコン２００の構成について説明する。図４（ａ）は本体１００が備える制御部２６の機能ブロック図であり、図４（ｂ）はリモコン２００が備える制御部３０の機能ブロック図である。
【００３４】
図４（ａ）に示すように制御部２６は、検出部４０、表示制御部４２、第１通信部４４及び第２通信部４６を備える。
【００３５】
検出部４０は、スイッチ１０が押下されたことで発信される信号を受信し、本体１００にリモコン２００が装着されたことを検出する。表示制御部４２は、本体１００の動作状態に基づいてＬＥＤ８を点灯させる。また表示制御部４８は、検出部４０がリモコン２００の装着を検出したことに応じて、ＬＥＤ８の消灯を行う。
【００３６】
第１通信部４４は、図３のＩ／Ｆ２を介してリモコン２００との間で、リモコン２００により本体１００を制御するための通信を行う。また第１通信部４４は、本体１００の動作に関する情報を、リモコン２００に送信する。
【００３７】
第２通信部４６は、図３のＩ／Ｆ４を介して本体１００と図１（ａ）の端末装置１２０との間で、本体１００を制御するための通信を行う。また第２通信部４６は、第１通信部４４が本体１００とリモコン２００とが通信をするような制御を行ったことに応じて、本体１００と端末装置１２０との通信を遮断する。
【００３８】
図４（ｂ）に示すように制御部３０は、表示制御部４８、操作制御部５０、及び第３通信部５２を備える。
【００３９】
操作制御部５０は、操作部１６が操作されたことに応じて発信される信号を受信する。第３通信部５２は、操作制御部５０が操作部１６からの信号を受信したことに応じて、図３のＩ／Ｆ３２を介して、リモコン２００により本体１００を制御するための通信を行う。また第３通信部５２は、本体１００の動作に関する情報を、第１通信部４４から受信する。表示制御部４８は、第３通信部５２が本体１００の動作状態に関する情報を受信したことに応じて、ＬＥＤ１８を点灯させる。
【００４０】
次に電子機器の制御について説明する。図５は実施例１に係る電子機器の制御を例示するシーケンス図である。
【００４１】
図５に示すように、本体１００は端末装置１２０に制御されている状態にある。まず、リモコン２００が本体１００に装着される（ステップＳ１）。図２（ｂ）に示したケーブル１４が給電口６に挿入されると、本体１００はリモコン２００に電力を供給する（ステップＳ２）。また、図２（ｂ）に示したケーブル１２がＩ／Ｆ２に挿入されると、本体１００は、リモコン２００との間で通信を開始する（ステップＳ３）。なお、図２に示すケーブルを接続することで、リモコン２００を本体１００に装着しなくても、電力供給（ステップＳ２）及び通信（ステップＳ３）は可能である。つまり、ステップＳ１〜Ｓ３の順番は変更可能である。
【００４２】
ステップＳ３の後、リモコン２００は本体１００の制御を行う（ステップＳ４）。また本体１００は、本体１００の動作に関する情報をリモコン２００に送信する（ステップＳ５）。さらに、本体１００は、リモコン２００による制御が行われることに応じて、端末装置１２０との通信を遮断する（ステップＳ６）。
【００４３】
本体１００は、リモコン２００が本体１００に装着されたことを検出する（ステップＳ７）。ステップＳ７の後、本体１００はＬＥＤ８を消灯させ（ステップＳ８）、リモコン２００はＬＥＤ１８を点灯させる（ステップＳ９）。つまり、リモコン２００が本体１００に装着されたことに応じて、ＬＥＤ１８はＬＥＤ８の代替動作を行う。
【００４４】
次に本体１００及びリモコン２００それぞれの制御について説明する。図６（ａ）は実施例１に係る電源制御装置の本体１００の制御を例示するフローチャートであり、図６（ｂ）は実施例１に係る電源制御装置のリモコン２００の制御を例示するフローチャートである。まず本体１００の制御について説明する。
【００４５】
図６（ａ）に示すように、本体１００はリモコン２００に電力を供給する（ステップＳ１０）。第１通信部４４は、リモコン２００と通信を開始する（ステップＳ１１）。ステップＳ１１の後、第２通信部４６は、本体１００又はリモコン２００の設定に応じて、端末装置１２０との通信を遮断する（ステップＳ１２）。
【００４６】
検出部４０は、本体１００にリモコン２００が装着されたか判断する（ステップＳ１３）。Ｎｏの場合、つまり検出部４０がリモコン２００の装着を検出しない場合、ステップＳ１３の制御が繰り返される。Ｙｅｓの場合、つまり検出部４０がリモコン２００の装着を検出した場合、第１通信部４４は、本体１００の動作に関する情報をリモコン２００に送信する（ステップＳ１４）。
【００４７】
ステップＳ１４の後、第１表示制御部４２はＬＥＤ８を消灯させる（ステップＳ１５）。ステップＳ１５の後、制御は終了する。
【００４８】
次に図６（ｂ）を参照して、リモコン２００の制御について説明する。
【００４９】
図６（ｂ）に示すように、第３通信部５２は本体１００の第１通信部４４から、本体１００の動作に関する情報を受信したか判断する（ステップＳ１６）。Ｎｏの場合、ステップＳ１６の制御が繰り返される。Ｙｅｓの場合、表示制御部４８はＬＥＤ１８を点灯させる（ステップＳ１７）。ステップＳ１７の後、制御は終了する。
【００５０】
実施例１によれば、本体１００とリモコン２００とを接続し、本体１００がリモコン２００に電力を供給する電源制御装置１０００において、本体１００にリモコン２００を装着し、かつ表示を行っていたＬＥＤ８の動作を、リモコン２００のＬＥＤ１８が代替することができる。つまり本体１００とリモコン２００とが装着された場合、ＬＥＤ１８が本体１００の動作に関する情報を表示することにより、ユーザは容易に本体１００の動作状態を確認できる。このため本体１００とリモコン２００とが装着された状態で動作し、かつ利便性が高い電源制御装置１０００が実現できる。
【００５１】
また、本体１００はリモコン２００と通信を行う。従って、ユーザは本体１００が設置された現場において、リモコン２００を用いた制御をすることができる。例えば本体１００のメンテンナンスを行う場合等では、特に利便性が高まる。この場合、本体１００と端末装置１２０との通信は遮断されるとしたが（図５のステップＳ６、及び図６（ａ）のステップＳ１２）、本体１００と端末装置１２０との通信は遮断されなくてもよい。
【００５２】
図２（ｂ）に示したように、リモコン２００が装着される面３にＬＥＤ８が備えられている場合、リモコン２００の装着によりＬＥＤ８が覆われてしまう。つまりユーザはＬＥＤ８の視認が困難になる。この場合でも、リモコン２００が備えるＬＥＤ１８が代替動作することで、ユーザは本体１００の動作状態を確認することができ、利便性がより高まる。なお、例えばリモコン２００の装着によりＬＥＤ８が覆われない場合でも、ＬＥＤ１８が本体１００の動作に関する情報を表示することで、利便性は高まる。
【００５３】
ＬＥＤ１８が点灯する場合、ＬＥＤ８は消灯しなくても良い。しかし、ユーザがＬＥＤ１８を用いて本体１００の動作状態を確認し、ＬＥＤ８を用いない場合、ＬＥＤ８を点灯することは省電力の観点から好ましくない。従って、省電力、及び経費削減の観点からＬＥＤ８は消灯することが好ましい。
【００５４】
リモコン２００が備えるＬＥＤ１８は、本体１００が備えるＬＥＤ８が表示していた情報に加えて、例えばリモコン２００による制御が行われていることを示す情報を表示しても良い。また、本体１００及びリモコン２００が備える表示部はＬＥＤに限定されず、表示部が例えば液晶モニタ等であっても本発明は適用可能である。
【００５５】
スイッチ１０が押されたこと以外に、例えばＩ／Ｆ２や給電口６へのケーブル１２又は１４の挿入を機械的に検出したこと、本体１００とリモコン２００とが通信を行ったこと、及び給電口６から電力が供給されたことに応じて、ＬＥＤ１８が代替動作を開始しても良い。また、上記のトリガーを組み合わせて用いても良い。すなわち、リモコン２００が本体１００に装着されたこと、本体１００がリモコン２００に電力を供給したこと、及び本体１００とリモコン２００とが通信を行ったこと、の少なくとも１つに応じて、ＬＥＤ１８はＬＥＤ８が表示していた情報を表示する。これにより、自動的にＬＥＤの代替動作が行われる。
【００５６】
また、本体１００やリモコン２００に設けられたスイッチ等をユーザが操作することで、手動でＬＥＤ１８を点灯させても良い。ＬＥＤ８の消灯についても、ユーザが手動で行っても良い。つまり、上記の自動的な検出手段の少なくとも１つと、手動操作と、を組み合わせて用いてもよい。
【００５７】
実施例１に係る電源制御装置１０００は、本体１００と、本体１００を制御するためのリモコン２００とからなるとしたが、本発明の実施態様はこれに限定されない。例えば、制御装置と、制御装置に制御される従属機器とからなり、制御装置が従属機器に電力を供給し、かつ従属機器が制御装置の表示機能を代替するとしても良い。また、電源制御装置以外の電子機器であっても、本発明は適用可能である。
【００５８】
本体１００は交流電源で駆動するとしたが、直流電源で駆動しても良い。本体１００がデバイス１１０やリモコン２００に供給する電力は、交流電力でも直流電力でも良い。
【００５９】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００６０】
Ｉ／Ｆ              ２，４，３２
面                  ３
給電口              ６，３４
ＬＥＤ              ８，１８
スイッチ            １０
操作部              １６
制御部              ２４，３０
検出部              ４０
表示制御部          ４２，４８
第１通信部          ４４
第２通信部          ４６
第３通信部          ５２
本体                １００
デバイス            １１０
端末装置            １２０
ネットワーク        １３０
リモコン            ２００
電源制御装置        １０００
【図１】
2011155413.tif 000003
【図２】
2011155413.tif 000004
【図３】
2011155413.tif 000005
【図４】
2011155413.tif 000006
【図５】
2011155413.tif 000007
【図６】
2011155413.tif 000008